(57)【要約】【課題】この発明は、デジタルインターフェースを介して接続されたＡＶ機器と相互認証を行なった上でデジタル信号の伝送を行なう際に、電源がオンされてからデジタル信号の伝送が開始されるまでの時間を短縮して、十分に実用に適するようにした情報伝送装置及び情報伝送方法を提供することを目的としている。【解決手段】電源がオフされたときにＡＶ機器（１２）との認証済みを示す情報を記憶する手段（２９ｂ）と、電源オフ期間中にＡＶ機器（１２）が非接続状態になったか否かを検出する手段（２９ｄ）と、電源がオンされたときに、電源オフ期間中にＡＶ機器（１２）が非接続状態になっていないことが検出された場合、記憶された認証済みを示す情報に基づいて、ＡＶ機器（１２）とのデジタル信号の伝送を行なう手段（２９）とを備える。【選択図】    図２
2009135803.tif 000002
【特許請求の範囲】
【請求項１】
デジタルインターフェースを介して接続されたＡＶ機器との間で相互認証を行なった上でデジタル信号の伝送を行なう情報伝送装置であって、
前記ＡＶ機器との間で相互認証が完了している状態で電源がオフされたときに前記ＡＶ機器との認証済みを示す情報を記憶する記憶手段と、
電源オフ期間中に前記ＡＶ機器が非接続状態になったか否かを検出する検出手段と、
電源がオンされたときに、前記検出手段により電源オフ期間中に前記ＡＶ機器が非接続状態になっていないことが検出された場合、前記記憶手段に保持された認証済みを示す情報に基づいて、前記ＡＶ機器とのデジタル信号の伝送を行なう制御手段とを具備することを特徴とする情報伝送装置。
【請求項２】
前記制御手段は、電源がオンされたときに、前記検出手段により電源オフ期間中に前記ＡＶ機器が非接続状態になったことが検出された場合、前記デジタルインターフェースを介して接続されているＡＶ機器との間で相互認証させることを特徴とする請求項１記載の情報伝送装置。
【請求項３】
前記記憶手段は、前記ＡＶ機器との間で相互認証が完了している状態で電源がオフされたときに、前記デジタル信号の伝送方式が前記デジタルインターフェースに準拠し、かつ、前記デジタルインターフェースに前記ＡＶ機器が接続されている場合に、前記ＡＶ機器との認証済みを示す情報を記憶することを特徴とする請求項１記載の情報伝送装置。
【請求項４】
前記記憶手段は、前記ＡＶ機器との間で相互認証が完了している状態で電源がオフされたときに、前記ＡＶ機器との間で再認証を行ない、その再認証について認証済みを示す情報を記憶することを特徴とする請求項１記載の情報伝送装置。
【請求項５】
前記デジタルインターフェースはＨＤＭＩ規格に準拠した伝送方式であり、前記ＡＶ機器との間で行なう相互認証はＨＤＣＰ仕様に準拠した形態で行なわれることを特徴とする請求項１記載の情報伝送装置。
【請求項６】
前記記憶手段に保持された認証済みを示す情報は、前記ＨＤＣＰ仕様に準拠した認証処理に使用される共通キーであることを特徴とする請求項５記載の情報伝送装置。
【請求項７】
前記検出手段は、前記ＡＶ機器を接続するためのＨＤＭＩプラグの挿抜を検出することを特徴とする請求項５記載の情報伝送装置。
【請求項８】
デジタルインターフェースを介して接続されたＡＶ機器との間で相互認証を行なった上でデジタル信号の伝送を行なう情報伝送方法であって、
前記ＡＶ機器との間で相互認証が完了している状態で電源がオフされたときに前記ＡＶ機器との認証済みを示す情報を記憶する記憶工程と、
電源オフ期間中に前記ＡＶ機器が非接続状態になったか否かを検出する検出工程と、
電源がオンされたときに、前記検出工程により電源オフ期間中に前記ＡＶ機器が非接続状態になっていないことが検出された場合、前記記憶工程で記憶された認証済みを示す情報に基づいて、前記ＡＶ機器とのデジタル信号の伝送を行なう制御工程とを具備することを特徴とする情報伝送方法。
【請求項９】
前記制御工程では、電源がオンされたときに、前記検出工程により電源オフ期間中に前記ＡＶ機器が非接続状態になったことが検出された場合、前記デジタルインターフェースを介して接続されているＡＶ機器との間で相互認証させることを特徴とする請求項８記載の情報伝送方法。
【請求項１０】
前記記憶工程では、前記ＡＶ機器との間で相互認証が完了している状態で電源がオフされたときに、前記デジタル信号の伝送方式が前記デジタルインターフェースに準拠し、かつ、前記デジタルインターフェースに前記ＡＶ機器が接続されている場合に、前記ＡＶ機器との認証済みを示す情報を記憶することを特徴とする請求項８記載の情報伝送方法。
【請求項１１】
前記記憶工程では、前記ＡＶ機器との間で相互認証が完了している状態で電源がオフされたときに、前記ＡＶ機器との間で再認証を行ない、その再認証について認証済みを示す情報を記憶することを特徴とする請求項８記載の情報伝送方法。
【発明の詳細な説明】
【技術分野】
【０００１】
この発明は、デジタルインターフェースを介して接続されたＡＶ（audio visual）機器と相互認証を行なった上で情報の伝送を行なう情報伝送装置及び情報伝送方法の改良に関する。
【背景技術】
【０００２】
周知のように、複数のＡＶ機器相互間で、デジタル化された映像データを伝送するための規格として、ＤＶＩ（digital visual interface）規格が普及している。そして、近年では、このＤＶＩ規格をさらに改良したデジタル信号伝送規格として、ＨＤＭＩ（high definition multimedia interface）規格が採用されるようになってきている。
【０００３】
このＨＤＭＩ規格には、例えば、デジタル映像データのブランキング期間にデジタル音声データを多重化して音声伝送を行なうことが可能であること、デジタル映像データをＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【０００４】
ところで、このようなＨＤＭＩ規格に準拠したデジタルインターフェースを用いてデジタル信号の伝送を行なう場合には、著作権保護の観点から、デジタル信号が不正にコピーされることを防止するために、情報の送信側となるＡＶ機器と受信側となるＡＶ機器との間で、ＨＤＣＰ（high bandwidth digital content protection system）仕様に基づく相互認証処理を行ない、認証処理が成功した場合にのみ、デジタル信号の伝送が許容されるようになっている。
【０００５】
しかしながら、ＨＤＣＰ（high bandwidth digital content protection system）仕様に準拠した相互認証処理には、通常、数秒の時間を要する。このため、ＡＶ機器を、その電源をオンして起動させた後、直ちにデジタル信号の伝送を行なおうとしても、認証処理が完了するまでの時間分は、伝送開始が遅れることになる。
【０００６】
特許文献１には、情報処理装置からそれに接続されたデバイスにデジタルデータを伝送するシステムにおいて、サスペンド時に、情報処理装置に対するデバイスの挿抜の有無を状態フラグに記憶しておき、電源投入時に状態フラグによってデバイスの挿抜がないことか示されている場合、デバイスの初期化ルーチンを処理せずに起動することが開示されている。
【特許文献１】特開２００１−１４２８３９号公報
【発明の開示】
【発明が解決しようとする課題】
【０００７】
そこで、この発明は上記事情を考慮してなされたもので、デジタルインターフェースを介して接続されたＡＶ機器と相互認証を行なった上でデジタル信号の伝送を行なう際に、電源がオンされてからデジタル信号の伝送が開始されるまでの時間を短縮して、十分に実用に適するようにした情報伝送装置及び情報伝送方法を提供することを目的とする。
【課題を解決するための手段】
【０００８】
すなわち、この発明に係る情報伝送装置は、デジタルインターフェースを介して接続されたＡＶ機器との間で相互認証を行なった上でデジタル信号の伝送を行なうものを対象としている。そして、ＡＶ機器との間で相互認証が完了している状態で電源がオフされたときにＡＶ機器との認証済みを示す情報を記憶する記憶手段と、電源オフ期間中にＡＶ機器が非接続状態になったか否かを検出する検出手段と、電源がオンされたときに、検出手段により電源オフ期間中にＡＶ機器が非接続状態になっていないことが検出された場合、記憶手段に保持された認証済みを示す情報に基づいて、ＡＶ機器とのデジタル信号の伝送を行なう制御手段とを備えるようにしたものである。
【０００９】
また、この発明に係る情報伝送方法は、デジタルインターフェースを介して接続されたＡＶ機器との間で相互認証を行なった上でデジタル信号の伝送を行なう方法を対象としている。そして、ＡＶ機器との間で相互認証が完了している状態で電源がオフされたときにＡＶ機器との認証済みを示す情報を記憶する記憶工程と、電源オフ期間中にＡＶ機器が非接続状態になったか否かを検出する検出工程と、電源がオンされたときに、検出工程によりオフ期間中にＡＶ機器が非接続状態になっていないことが検出された場合、記憶工程で記憶された認証済みを示す情報に基づいて、ＡＶ機器とのデジタル信号の伝送を行なう制御工程とを備えるようにしたものである。
【発明の効果】
【００１０】
上記した発明によれば、電源オフ期間中にＡＶ機器が非接続状態になっていないことが検出された場合、記憶手段に保持された認証済みを示す情報に基づいて、ＡＶ機器とのデジタル信号の伝送を行なうようにしたので、デジタルインターフェースを介して接続されたＡＶ機器と相互認証を行なった上でデジタル信号の伝送を行なう際に、電源がオンされてからデジタル信号の伝送が開始されるまでの時間を短縮することができ、十分に実用に適するものとなる。
【発明を実施するための最良の形態】
【００１１】
以下、この発明の実施の形態について図面を参照して詳細に説明する。図１は、この実施の形態で説明する情報伝送システムの概略を示している。この情報伝送システムは、情報の送信側となるＡＶ機器としてのデジタル記録再生装置１１と、情報の受信側となるＡＶ機器としてテレビジョン受信装置１２とを、ＨＤＭＩ規格等に準拠したデジタルインターフェースを介して接続したものである。
【００１２】
この情報伝送システムにおいて、上記デジタル記録再生装置１１は、電源がオンされることにより起動されると、テレビジョン受信装置１２との間でＨＤＣＰ仕様に準拠した相互認証処理を実行する。そして、認証処理が成功した場合にのみ、デジタル記録再生装置１１からテレビジョン受信装置１２へのデジタル信号の伝送が許容され、テレビジョン受信装置１２による映像表示や音声再生等が行なわれるようになる。
【００１３】
なお、ＨＤＣＰ仕様に準拠した相互認証処理は、デジタル記録再生装置１１とテレビジョン受信装置１２とが自己の固有キーを交換し合い、それぞれが両方の固有キーを用いて共通キーを生成する。そして、デジタル記録再生装置１１で生成した共通キーとテレビジョン受信装置１２で生成した共通キーとを比較し、両方のキーが一致した場合に認証成功となる。この場合、生成された共通キーは、後のデジタル信号の暗号化処理及びその復号化処理にも利用される。
【００１４】
ここで、上記ＨＤＣＰ仕様に準拠した相互認証処理には、通常、数秒の時間を要する。このため、デジタル記録再生装置１１の電源をオンして起動させてから、デジタル信号をテレビジョン受信装置１２に伝送することができるようになるまでに、認証処理に要する時間分の待ち時間が生じることになる。
【００１５】
そこで、この実施の形態では、デジタル記録再生装置１１が起動されてテレビジョン受信装置１２との認証処理に成功している状態で、デジタル記録再生装置１１の電源がオフされたとき、認証済みであることを示す情報をデジタル記録再生装置１１に記憶させる。その後、デジタル記録再生装置１１の電源がオフされている期間中に、テレビジョン受信装置１２がデジタル記録再生装置１１に対して非接続状態になされたか否かを検出している。
【００１６】
そして、次に、デジタル記録再生装置１１の電源がオンされたとき、デジタル記録再生装置１１の電源オフ期間中に、テレビジョン受信装置１２がデジタル記録再生装置１１に対して非接続状態になされていない場合にのみ、デジタル記録再生装置１１とテレビジョン受信装置１２との間で認証処理を行なうことなく、先に記憶した認証済みを示す情報を用いて、デジタル記録再生装置１１からテレビジョン受信装置１２へのデジタル伝送を許容するようにしている。
【００１７】
これにより、デジタル記録再生装置１１が電源オンにより起動されてから、テレビジョン受信装置１２へのデジタル信号の伝送が行なわれるまでの時間を短縮することができるようになり、十分に実用に適するものとすることができる。
【００１８】
図２は、上記デジタル記録再生装置１１の信号処理系を示している。図２において、符号１３はデジタル放送受信用のアンテナである。このアンテナ１３で受信したデジタル放送信号は、入力端子１４を介してチューナ部１５に供給される。
【００１９】
このチューナ部１５は、入力されたデジタル放送信号から所望のチャンネルの信号を選局している。そして、このチューナ部１５から出力された信号は、デコーダ部１６に供給されて、例えばＭＰＥＧ（moving picture experts group）２デコード処理が施された後、セレクタ１７に供給される。
【００２０】
また、アナログ放送受信用のアンテナ１８で受信したアナログ放送信号は、入力端子１９を介してチューナ部２０に供給される。このチューナ部２０は、入力されたアナログ放送信号から所望のチャンネルの信号を選局している。そして、このチューナ部２０から出力された信号は、Ａ／Ｄ（analog／digital）変換部２１によりデジタル化された後、上記セレクタ１７に出力される。
【００２１】
上記セレクタ１７は、デコーダ部１６及びＡ／Ｄ変換部２１から出力される各デジタル信号から１つを選択して、信号分離部２２に供給している。この信号分離部２２は、入力されたデジタル信号を映像成分と音声成分とに分離し、デジタル映像信号を映像信号処理部２３に供給し、デジタル音声信号を音声信号処理部２４に供給している。
【００２２】
このうち、映像信号処理部２３は、入力されたデジタル映像信号にエラー訂正処理や復調処理等を含む所定の信号処理を施してアナログ映像信号を生成している。そして、この映像信号処理部２３から出力されたアナログ映像信号は、映像出力端子２５を介して外部の映像表示部２６に供給され映像表示に供される。
【００２３】
また、上記音声信号処理部２４は、入力されたデジタル音声信号にエラー訂正処理や復調処理等を含む所定の信号処理を施してアナログ音声信号を生成している。そして、この音声信号処理部２４から出力されたアナログ音声信号は、音声出力端子２７を介して外部のスピーカ２８に供給され音声再生に供される。
【００２４】
ここで、このデジタル記録再生装置１１は、上記した各種の受信動作を含む種々の動作を制御部２９によって統括的に制御されている。この制御部２９は、ＣＰＵ（central processing unit）２９ａを内蔵しており、操作部３０からの操作情報を受けることによって、その操作内容が反映されるように各部をそれぞれ制御している。
【００２５】
この場合、制御部２９は、メモリ部２９ｂを利用している。このメモリ部２９ｂは、主として、ＣＰＵ２９ａが実行する制御プログラムを格納したＲＯＭ（read only memory）と、該ＣＰＵ２９ａに作業エリアを提供するためのＲＡＭ（random access memory）と、各種の設定情報及び制御情報等が格納される不揮発性メモリとを有している。
【００２６】
また、この制御部２９には、ＨＤＤ３１が接続されている。この制御部２９は、ユーザによる操作部３０の操作に基づいて、上記映像信号処理部２３から得られるデジタル映像信号と上記音声信号処理部２４から得られるデジタル音声信号とを、ＨＤＤ３１に供給してハードディスク３１ａに記録させるように制御することができる。
【００２７】
さらに、この制御部２９は、ユーザによる操作部３０の操作に基づいて、ＨＤＤ３１によりハードディスク３１ａから映像信号及び音声信号を読み出させ、映像信号処理部２３及び音声信号処理部２４にそれぞれ供給して映像表示及び音声再生に供させるように制御することができる。
【００２８】
また、この制御部２９には、デジタル送受信部３２が接続されている。このデジタル送受信部３２は、ＨＤＭＩ規格に準拠したデジタルインターフェース機能を持つもので、入出力端子３３に接続されたＡＶ機器（この場合、テレビジョン受信装置１２）と制御部２９との相互間でのデータ伝送を可能にしている。この場合、デジタル送受信部３４は、送信するデジタル信号に対してＨＤＣＰ仕様に基づく暗号化処理を施し、受信したデジタル信号に対して復号化処理を施している。
【００２９】
これにより、この制御部２９は、デジタル送受信部３２及び入出力端子３３を介してテレビジョン受信装置１２に制御信号を送信し、テレビジョン受信装置１２を所定の動作状態に制御することが可能となる。このため、制御部２９は、ＨＤＤ３１のハードディスク３１ａに記録されている映像信号及び音声信号を再生させ、この再生された映像信号及び音声信号をデジタル送受信部３２及び入出力端子３３を介してテレビジョン受信装置１２に送信し、映像表示及び音声再生に供させることが可能となる。
【００３０】
また、上記制御部２９は、入出力端子３３に接続されたＡＶ機器（この場合、テレビジョン受信装置１２）との間で、ＨＤＣＰ仕様に準拠した相互認証処理を行なうための認証制御部２９ｃを有している。さらに、上記制御部２９は、テレビジョン受信装置１２が入出力端子３３に対して非接続状態になされたか否か、つまり、入出力端子３３に対するＨＤＭＩプラグ（図示せず）の挿抜を検出する挿抜検出部２９ｄを有している。
【００３１】
さらに、上記制御部２９は、操作部３０に含まれる図示しない電源スイッチのオンオフ状態に無関係に、常時通電されるようになされている。
【００３２】
図３は、上記テレビジョン受信装置１２の信号処理系を示している。図３において、符号３４は入出力端子であり、上記デジタル記録再生装置１１の入出力端子３３と接続されている。この入出力端子３４には、デジタル送受信部３５が接続されている。このデジタル送受信部３５は、ＨＤＭＩ規格に準拠したデジタルインターフェース機能を持ち、デジタル記録再生装置１１の制御部２９とのデータ伝送を行なうものである。この場合、デジタル送受信部３５は、送信するデジタル信号に対してＨＤＣＰ仕様に基づく暗号化処理を施し、受信したデジタル信号に対して復号化処理を施している。
【００３３】
このため、上記デジタル記録再生装置１１の入出力端子３３から出力されたデジタル信号は、入出力端子３４を介してデジタル送受信部３５に供給されることにより、復号化処理が施される。そして、このデジタル送受信部３５で復号化処理されたデジタル信号のうち、映像成分及び音声成分に対応する信号は、信号処理部３６に供給されて映像信号と音声信号とに分離され、それぞれ、映像表示部３７及びスピーカ３８に供給されて、映像表示及び音声再生に供される。
【００３４】
ここで、このテレビジョン受信装置１２は、上記した映像表示及び音声再生の動作を含む種々の動作を制御部３９によって統括的に制御されている。この制御部３９は、ＣＰＵ３９ａを内蔵しており、操作部４０からの操作情報、または、上記デジタル送受信部３５で復号化処理されたデジタル信号のうちの制御信号を受けることによって、その操作内容や制御内容が反映されるように各部をそれぞれ制御している。
【００３５】
この場合、制御部３９は、メモリ部３９ｂを利用している。このメモリ部３９ｂは、主として、ＣＰＵ３９ａが実行する制御プログラムを格納したＲＯＭと、該ＣＰＵ３９ａに作業エリアを提供するためのＲＡＭと、各種の設定情報及び制御情報等が格納される不揮発性メモリとを有している。
【００３６】
また、上記制御部３９は、入出力端子３４に接続されたＡＶ機器（この場合、デジタル記録再生装置１１）との間で、ＨＤＣＰ仕様に準拠した相互認証処理を行なうための認証制御部３９ｃを有している。
【００３７】
図４（ａ）は、この実施の形態に係る情報伝送システムの処理動作をまとめたフローチャートを示している。また、図４（ｂ）は、従来の処理動作のフローチャートを、この実施の形態に係る情報伝送システムの処理動作と対比させて示している。
【００３８】
まず、図４（ｂ）に示す従来の処理動作では、デジタル記録再生装置１１に対して電源をオンする要求が発生されたとき（ステップＳ４ｂ５）、デジタル記録再生装置１１の制御部２９は、テレビジョン受信装置１２に対してＨＤＣＰ仕様に基づく相互認証処理を行ない（ステップＳ４ｂ６）、認証処理が成功した場合に、テレビジョン受信装置１２に対してＨＤＭＩ規格に準拠した形態での映像信号及び音声信号の伝送を実行させる（ステップＳ４ｂ１）。
【００３９】
その後、制御部２９は、デジタル記録再生装置１１に対して電源をオフする要求が発生されたとき（ステップＳ４ｂ２）、デジタル記録再生装置１１の電源をオフに設定して（ステップＳ４ｂ３）、以後、電源のオンされるのを待つ状態となる（ステップＳ４ｂ４）。このため、デジタル記録再生装置１１の電源がオンされてから、デジタル信号のテレビジョン受信装置１２への伝送が開始されるまでに、相互認証処理に要する時間分の待ち時間が生じることになる。
【００４０】
これに対し、図４（ａ）に示すこの実施の形態の処理動作では、デジタル記録再生装置１１とテレビジョン受信装置１２との間で相互認証処理が成功し、デジタル記録再生装置１１からテレビジョン受信装置１２にＨＤＭＩ規格に準拠した形態での映像信号及び音声信号の伝送が実行されている状態で（ステップＳ４ａ１）で、デジタル記録再生装置１１に対して電源をオフする要求が発生されたとき（ステップＳ４ａ２）、デジタル記録再生装置１１の制御部２９は、テレビジョン受信装置１２との間で認証済みであることを示す情報を、メモリ部２９ｂの不揮発性メモリ等に書き込んで保持させてから（ステップＳ４ａ３）、デジタル記録再生装置１１の電源をオフに設定して（ステップＳ４ａ４）、以後、電源のオンされるのを待つ状態となる（ステップＳ４ａ５）。
【００４１】
そして、デジタル記録再生装置１１に対して電源をオンする要求が発生されたとき（ステップＳ４ａ６）、デジタル記録再生装置１１の制御部２９は、電源のオフ期間中に挿抜検出部２９ｄによりテレビジョン受信装置１２が非接続状態になされていないことが確認できた場合に（ステップＳ４ａ７）、メモリ部２９ｂに保持された認証済みの情報を読み出し（ステップＳ４ａ８）、この情報を用いてデジタル記録再生装置１１からテレビジョン受信装置１２へのデジタル信号の伝送を実行するようにしている（ステップＳ４ａ１）。
【００４２】
上記した実施の形態によれば、デジタル記録再生装置１１の電源がオフされたとき、テレビジョン受信装置１２との認証済みであることを示す情報をメモリ部２９ｂに保持し、デジタル記録再生装置１１の電源がオンされたとき、デジタル記録再生装置１１の電源オフ期間中にテレビジョン受信装置１２が非接続状態になっていない場合にだけ、メモリ部の認証済み情報を用いてデジタル記録再生装置１１からテレビジョン受信装置１２へのデジタル信号の伝送を許容するようにしている。
【００４３】
すなわち、デジタル記録再生装置１１の電源オフ期間中にテレビジョン受信装置１２が非接続状態になっていなければ、デジタル記録再生装置１１の電源がオンされたとき、テレビジョン受信装置１２との相互認証処理を省略して、テレビジョン受信装置１２へのデジタル信号の伝送を行なえるようにしているので、デジタル記録再生装置１１の電源がオンされてから、テレビジョン受信装置１２へのデジタル信号の伝送が開始されるまでの時間を短縮することができるようになる。
【００４４】
なお、デジタル記録再生装置１１の電源オフ期間中に、挿抜検出部２９ｄによりテレビジョン受信装置１２が非接続状態になったことが検出された場合には、接続関係の変更、つまり、先に接続されていたテレビジョン受信装置１２以外のＡＶ機器が接続されていることが予想される。そして、接続関係が変わると、ＨＤＣＰ仕様で用いられる固有キーが変更になるため、相互認証処理を行なう必要がある。
【００４５】
図５は、上記ステップＳ４ａ３における、デジタル記録再生装置１１とテレビジョン受信装置１２との認証済みであることを示す情報を、メモリ部２９ｂに書き込んで保持させる処理動作の一例を示している。この処理は、デジタル記録再生装置１１に対して電源をオフする要求が発生されることにより、開始（ステップＳ５ａ）される。
【００４６】
すると、制御部２９は、ステップＳ５ｂで、デジタル信号の送信方式がＨＤＭＩ規格に準拠した方式であるか否かを判別し、ＨＤＭＩ規格に準拠した方式であると判断された場合（ＹＥＳ）、ステップＳ５ｃで、実際にＨＤＭＩ規格に準拠した形態で外部のＡＶ機器と接続されているか否かを判別する。
【００４７】
そして、実際にＨＤＭＩ規格に準拠した形態で外部のＡＶ機器と接続されていたと判断された場合（ＹＥＳ）、制御部２９は、ステップＳ５ｄで、テレビジョン受信装置１２との認証済みであることを示す情報をメモリ部２９ｂの不揮発性メモリに書き込んで保持させた後、処理を終了（ステップＳ５ｆ）する。
【００４８】
なお、上記ステップＳ５ｂでデジタル信号の送信方式がＨＤＭＩ規格以外であると判断された場合（ＮＯ）、または、上記ステップＳ５ｃで実際にＨＤＭＩ規格に準拠した形態で外部のＡＶ機器と接続されていないと判断された場合（ＮＯ）には、制御部２９は、そのまま処理を終了（ステップＳ５ｆ）する。
【００４９】
また、上記制御部２９は、上記ステップＳ５ａで処理が開始されると、上記したステップＳ５ｂ〜ステップＳ５ｄの処理と平行して、ステップＳ５ｅで、デジタル記録再生装置１１の電源をオフにする際に行なうべき種々の処理（例えばサスペンド処理等を含む）を行なって、処理を終了（ステップＳ５ｆ）する。
【００５０】
図６は、上記ステップＳ４ａ７及びステップＳ４ａ８における、電源のオフ期間中に挿抜検出部２９ｄによりテレビジョン受信装置１２が非接続状態になされていないことが確認できた場合に、メモリ部２９ｂに保持された認証済みを示す情報を読み出す処理動作の一例を示している。この処理は、デジタル記録再生装置１１に対して電源をオンする要求が発生されることにより、開始（ステップＳ６ａ）される。
【００５１】
すると、制御部２９は、ステップＳ６ｂで、デジタル記録再生装置１１の電源オフ期間中に、入出力端子３３に対してテレビジョン受信装置１２が非接続状態になされたか否かを判別する。この判別は、挿抜検出部２９ｄの検出結果に基づいて行なわれるもので、デジタル記録再生装置１１の電源オフ期間中も、制御部２９に通電が行なわれることで実現できる。
【００５２】
入出力端子３３からテレビジョン受信装置１２が非接続状態になされたと判断された場合（ＹＥＳ）、制御部２９は、ステップＳ６ｃで、入出力端子３３に接続されているＡＶ機器との間で相互認証処理を行なって、処理を終了（ステップＳ６ｆ）する。
【００５３】
また、上記ステップＳ６ｂで入出力端子３３からテレビジョン受信装置１２が非接続状態になされていないと判断された場合（ＮＯ）、制御部２９は、ステップＳ６ｄで、メモリ部２９ｂの不揮発性メモリから認証済みを示す情報を読み出して、処理を終了（ステップＳ６ｆ）する。なお、このステップＳ６ｄの処理は、メモリ部２９ｂから共有キーを取得することで、ＨＤＣＰ仕様に基づく認証処理が成功しているとみなすことができる。
【００５４】
また、上記制御部２９は、上記ステップＳ６ａで処理が開始されると、上記したステップＳ６ｂ〜ステップＳ６ｄの処理と平行して、ステップＳ６ｅで、デジタル記録再生装置１１の電源をオンにする際に行なうべき種々の処理を行なって、処理を終了（ステップＳ６ｆ）する。
【００５５】
図７は、ＨＤＣＰ仕様に基づく相互認証処理動作を示している。すなわち、デジタル記録再生装置１１では、ランダムキーＡｎを生成し、キーＡｋｓｖとともにテレビジョン受信装置１２に送信する。次に、デジタル記録再生装置１１では、テレビジョン受信装置１２から取得したＢｋｓｖとRPEATERとに基づいてキーＫｓ，Ｍｏ，Ｒｏを生成し、テレビジョン受信装置１２で同様に生成されたＲｏ´と、上記Ｒｏとを比較することで認証を実行する。
【００５６】
以後は、映像フレーム毎に、キーＫｉ，Ｍｉ，Ｔをデジタル記録再生装置１１及びテレビジョン受信装置１２でそれぞれ生成し、１２８フレーム毎にＴを比較することにより、テレビジョン受信装置１２が認証済みのＡＶ機器であることを確認する。このような認証処理の中で、四角い枠で囲んだキーＫｓ，Ｋｉ，Ｍｉ，Ｔを共有キーとして、デジタル記録再生装置１１に対する電源オフ時にメモリ部２９ｂに保持させる。
【００５７】
図８は、先に図４（ａ）に示した処理動作の変形例を示している。図８において、図４（ａ）と同一ステップに同一符号を付して説明すると、ステップＳ４ａ２でデジタル記録再生装置１１に対して電源をオフする要求が発生されたとき、デジタル記録再生装置１１の制御部２９は、テレビジョン受信装置１２に対してＨＤＣＰ仕様に基づく相互認証処理を行ない（ステップＳ４ａ９）、この認証処理で生成された共有キーを、ステップＳ４ａ３でメモリ部２９ｂの不揮発性メモリに書き込んで保持させるようにしている。
【００５８】
すなわち、デジタル記録再生装置１１に対する電源オフ要求時に、共有キーをメモリ部２９ｂに保持させる際、ＨＤＣＰ仕様に基づく相互認証処理を再度行なって共有キーを更新し、この更新された共有キーをメモリ部２９ｂに保持させることで、セキュリティ性を高めている。また、この場合は、デジタル記録再生装置１１に対する電源オフ時であるため、認証処理に時間を要してもユーザにとって問題が生じることはない。
【００５９】
図９は、上記ステップＳ４ａ９及びステップＳ４ａ３における、デジタル記録再生装置１１の電源オフ時に、テレビジョン受信装置１２との再認証処理を行ない、その共有キーをメモリ部２９ｂに書き込んで保持させる処理動作の一例を示している。この処理は、デジタル記録再生装置１１に対して電源をオフする要求が発生されることにより、開始（ステップＳ９ａ）される。
【００６０】
すると、制御部２９は、ステップＳ９ｂで、デジタル信号の送信方式がＨＤＭＩ規格に準拠した方式であるか否かを判別し、ＨＤＭＩ規格に準拠した方式であると判断された場合（ＹＥＳ）、ステップＳ９ｃで、実際にＨＤＭＩ規格に準拠した形態で外部のＡＶ機器と接続されているか否かを判別する。
【００６１】
そして、実際にＨＤＭＩ規格に準拠した形態で外部のＡＶ機器と接続されていたと判断された場合（ＹＥＳ）、制御部２９は、ステップＳ９ｄで、ＨＤＣＰ仕様に基づくテレビジョン受信装置１２との相互認証処理を行ない、ステップＳ９ｅで、その認証処理により得られた共有キーを、認証済みであることを示す情報としてメモリ部２９ｂの不揮発性メモリに書き込んで保持させた後、処理を終了（ステップＳ９ｇ）する。
【００６２】
なお、上記ステップＳ９ｂでデジタル信号の送信方式がＨＤＭＩ規格以外であると判断された場合（ＮＯ）、または、上記ステップＳ９ｃで実際にＨＤＭＩ規格に準拠した形態で外部のＡＶ機器と接続されていないと判断された場合（ＮＯ）には、制御部２９は、そのまま処理を終了（ステップＳ９ｇ）する。
【００６３】
また、上記制御部２９は、上記ステップＳ９ａで処理が開始されると、上記したステップＳ９ｂ〜ステップＳ９ｅの処理と平行して、ステップＳ９ｆで、デジタル記録再生装置１１の電源をオフにする際に行なうべき種々の処理（例えばサスペンド処理等を含む）を行なって、処理を終了（ステップＳ９ｇ）する。
【００６４】
上記した実施の形態では、情報の送信側となるＡＶ機器（この場合、デジタル記録再生装置１１）に関して説明したが、情報の受信側となるＡＶ機器（この場合、テレビジョン受信装置１２）についても、図５及び図６に示した処理と同様の処理を施すことにより、電源オン時におけるＨＤＣＰ仕様に基づく相互認証処理を省略し、電源オンによる起動時から映像表示がなされるまでの時間を短縮することができる。
【００６５】
また、この実施の形態では、デジタル伝送方式としてＨＤＭＩを取り上げたが、これに限らず、例えばＤＶＩ等のように、デジタル信号による映像コンテンツの送受信を行なう規格では、コンテンツ保護のための暗号化が必要になってくる。このため、これらの規格にもこの発明は適用可能である。同様に、ＨＤＣＰのみならず、ＤＴＣＰ等、他の暗号プロトコルにもこの発明は適用可能である。また、この実施の形態のように、デジタル記録再生装置１１とテレビジョン受信装置１２との間の映像コンテンツの送受信のみならず、他のＡＶ機器を用いた音声コンテンツやデータコンテンツの送受信においても暗号化が必要な場合等にこの発明は適用可能である。
【００６６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６７】
【図１】この発明の実施の形態を示すもので、情報伝送システムの概略を説明するために示すブロック構成図。
【図２】同実施の形態における情報伝送システムを構成するデジタル記録再生装置の信号処理系を説明するために示すブロック構成図。
【図３】同実施の形態における情報伝送システムを構成するテレビジョン受信装置の信号処理系を説明するために示すブロック構成図。
【図４】同実施の形態における情報伝送システムで行なわれる主要な処理動作を従来の動作と対比して説明するために示すフローチャート。
【図５】同実施の形態における情報伝送システムで行なわれる停止処理動作の一例を詳細に説明するために示すフローチャート。
【図６】同実施の形態における情報伝送システムで行なわれる起動処理動作の一例を詳細に説明するために示すフローチャート。
【図７】同実施の形態における情報伝送システムで行なわれるＨＤＣＰ仕様に基づく相互認証処理動作を説明するために示すフローチャート。
【図８】同実施の形態における情報伝送システムで行なわれる主要な処理動作の変形例を説明するために示すフローチャート。
【図９】同実施の形態における情報伝送システムで行なわれる停止処理動作の他の例を詳細に説明するために示すフローチャート。
【符号の説明】
【００６８】
１１…デジタル記録再生装置、１２…テレビジョン受信装置、１３…アンテナ、１４…入力端子、１５…チューナ部、１６…デコーダ部、１７…セレクタ、１８…アンテナ、１９…入力端子、２０…チューナ部、２１…Ａ／Ｄ変換部、２２…信号処理部、２３…映像信号処理部、２４…音声信号処理部、２５…映像出力端子、２６…映像表示部、２７…音声出力端子、２８…スピーカ、２９…制御部、２９ａ…ＣＰＵ、２９ｂ…メモリ部、２９ｃ…認証制御部、２９ｄ…挿抜検出部、３０…操作部、３１…ＨＤＤ、３１ａ…ハードディスク、３２…デジタル送受信部、３３…入出力端子、３４…入出力端子、３５…デジタル送受信部、３６…信号処理部、３７…映像表示部、３８…スピーカ、３９…制御部、３９ａ…ＣＰＵ、３９ｂ…メモリ部、３９ｃ…認証制御部、４０…操作部。
【図１】
2009135803.tif 000003
【図２】
2009135803.tif 000004
【図３】
2009135803.tif 000005
【図４】
2009135803.tif 000006
【図５】
2009135803.tif 000007
【図６】
2009135803.tif 000008
【図７】
2009135803.tif 000009
【図８】
2009135803.tif 000010
【図９】
2009135803.tif 000011
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
端子を介して接続されたＡＶ機器との間で相互認証を行なった上でデジタル信号の伝送を行なう情報伝送装置であって、
電源スイッチのオンオフ状態に無関係に常時通電され、前記ＡＶ機器との間で予め規定された相互認証処理を実行する認証手段と、
前記電源スイッチのオンオフ状態に無関係に常時通電され、前記認証手段により前記ＡＶ機器との間での相互認証処理に使用される情報を記憶する記憶手段と、
前記電源スイッチのオフ期間中に前記ＡＶ機器の前記端子に対する接続状態が維持されているか否かを検出する検出手段と、
前記電源スイッチがオンされたときに、前記検出手段によって前記電源スイッチのオフ期間中に前記ＡＶ機器の前記端子に対する接続状態が維持されていることが検出された場合、前記記憶手段に記憶された情報を用いて前記ＡＶ機器との間での相互認証が完了している状態に制御して、前記ＡＶ機器との間で前記デジタル信号の伝送を行なわせる制御手段とを具備することを特徴とする情報伝送装置。
【請求項２】
前記制御手段は、前記電源スイッチがオンされたときに、前記検出手段によって前記電源スイッチのオフ期間中に前記端子に接続された前記ＡＶ機器が非接続状態になったことがあると検出された場合、前記認証手段に前記端子に接続されているＡＶ機器との間での相互認証処理を行なわせることを特徴とする請求項１記載の情報伝送装置。
【請求項３】
前記ＡＶ機器との間における前記デジタル信号の伝送はＨＤＭＩ規格に準拠した方式で行なわれ、前記認証手段における前記ＡＶ機器との間での相互認証処理はＨＤＣＰ仕様に準拠した形態で行なわれることを特徴とする請求項１記載の情報伝送装置。
【請求項４】
前記記憶手段に記憶される情報は、前記ＨＤＣＰ仕様に準拠した認証処理に使用される共通キーを含むことを特徴とする請求項３記載の情報伝送装置。
【請求項５】
前記検出手段は、前記端子に対する前記ＡＶ機器のＨＤＭＩプラグの挿抜を検出することを特徴とする請求項３記載の情報伝送装置。
【請求項６】
端子を介して接続されたＡＶ機器との間で相互認証を行なった上でデジタル信号の伝送を行なう情報伝送方法であって、
電源スイッチのオンオフ状態に無関係に常時通電される認証手段によって、前記ＡＶ機器との間で予め規定された相互認証処理を実行する工程と、
前記電源スイッチのオンオフ状態に無関係に常時通電される記憶手段によって、前記認証手段により前記ＡＶ機器との間での相互認証処理に使用される情報を記憶する工程と、
前記電源スイッチのオフ期間中に前記ＡＶ機器の前記端子に対する接続状態が維持されているか否かを検出手段によって検出する工程と、
前記電源スイッチがオンされたときに、前記検出手段によって前記電源スイッチのオフ期間中に前記ＡＶ機器の前記端子に対する接続状態が維持されていることが検出された場合、前記記憶手段に記憶された情報を用いて前記ＡＶ機器との間での相互認証が完了している状態に制御する制御手段によって、前記ＡＶ機器との間で前記デジタル信号の伝送を行なわせる工程とを有することを特徴とする情報伝送方法。
【請求項７】
前記制御手段は、前記電源スイッチがオンされたときに、前記検出手段によって前記電源スイッチのオフ期間中に前記端子に接続された前記ＡＶ機器が非接続状態になったことがあると検出された場合、前記認証手段に前記端子に接続されているＡＶ機器との間での相互認証処理を行なわせることを特徴とする請求項６記載の情報伝送方法。
【手続補正２】
【補正対象書類名】明細書
【補正対象項目名】０００８
【補正方法】変更
【補正の内容】
【０００８】
この発明に係る情報伝送装置は、端子を介して接続されたＡＶ機器との間で相互認証を行なった上でデジタル信号の伝送を行なうものを対象としている。そして、電源スイッチのオンオフ状態に無関係に常時通電され、ＡＶ機器との間で予め規定された相互認証処理を実行する認証手段と、電源スイッチのオンオフ状態に無関係に常時通電され、認証手段によりＡＶ機器との間での相互認証処理に使用される情報を記憶する記憶手段と、電源スイッチのオフ期間中にＡＶ機器の端子に対する接続状態が維持されているか否かを検出する検出手段と、電源スイッチがオンされたときに、検出手段によって電源スイッチのオフ期間中にＡＶ機器の端子に対する接続状態が維持されていることが検出された場合、記憶手段に記憶された情報を用いてＡＶ機器との間での相互認証が完了している状態に制御して、ＡＶ機器との間でデジタル信号の伝送を行なわせる制御手段とを備えるようにしたものである。
【手続補正３】
【補正対象書類名】明細書
【補正対象項目名】０００９
【補正方法】変更
【補正の内容】
【０００９】
また、この発明に係る情報伝送方法は、端子を介して接続されたＡＶ機器との間で相互認証を行なった上でデジタル信号の伝送を行なう方法を対象としている。そして、電源スイッチのオンオフ状態に無関係に常時通電される認証手段によって、ＡＶ機器との間で予め規定された相互認証処理を実行する工程と、電源スイッチのオンオフ状態に無関係に常時通電される記憶手段によって、認証手段によりＡＶ機器との間での相互認証処理に使用される情報を記憶する工程と、電源スイッチのオフ期間中にＡＶ機器の端子に対する接続状態が維持されているか否かを検出手段によって検出する工程と、電源スイッチがオンされたときに、検出手段によって電源スイッチのオフ期間中にＡＶ機器の端子に対する接続状態が維持されていることが検出された場合、記憶手段に記憶された情報を用いてＡＶ機器との間での相互認証が完了している状態に制御する制御手段によって、ＡＶ機器との間でデジタル信号の伝送を行なわせる工程とを有するようにしたものである。
【手続補正４】
【補正対象書類名】明細書
【補正対象項目名】００１０
【補正方法】変更
【補正の内容】
【００１０】
上記した発明によれば、電源スイッチがオンされたときに、電源スイッチのオフ期間中にＡＶ機器の接続状態が維持されていることが検出された場合、記憶手段に記憶された認証処理に使用される情報を用いてＡＶ機器との間での相互認証が完了している状態に制御して、ＡＶ機器との間でデジタル信号の伝送を行なわせるようにしたので、ＡＶ機器と相互認証を行なった上でデジタル信号の伝送を行なう際に、電源スイッチがオンされてからデジタル信号の伝送が開始されるまでの時間を短縮することができ、十分に実用に適するものとなる。